(57)【要約】      （修正有）【課題】コネクタの技術分野に属し、耐押圧及び耐衝撃能力を向上させる金属ハウジング及びコネクタを提供する。【解決手段】金属ハウジング３００は絶縁本体２００を収容するために用いられ、それは、第１の重ね合わせ部が設けられた第１のハーフハウジング１と、第２の重ね合わせ部が設けられた第２のハーフハウジング２とを含み、金属ハウジングは絶縁本体を収容する時に、第１の重ね合わせ部と第２の重ね合わせ部が重ね合わさって接続される。金属ハウジングは外力の押出、衝撃を受けた時に、変形しにくい。コネクタは、電気接続部材１００と、電気接続部材を収容する絶縁本体とを含み、金属ハウジングをさらに含み、絶縁本体は金属ハウジング内に収容される。金属ハウジングを採用して絶縁本体及び電気接続部を収容するため、コネクタは良好な耐押圧、衝撃の能力を有する。【選択図】図１
0003235165.tif 000002
【実用新案登録請求の範囲】
【請求項１】
絶縁本体を収容するために用いられる金属ハウジングであって、
第１の重ね合わせ部が設けられた第１のハーフハウジングと、
第２の重ね合わせ部が設けられた第２のハーフハウジングとを含み、前記金属ハウジングは前記絶縁本体を収容する時に、前記第１の重ね合わせ部と前記第２の重ね合わせ部は重ね合わせて接続されている、
ことを特徴とする金属ハウジング。
【請求項２】
前記第１の重ね合わせ部は複数のブームを含み、前記ブームは前記第２の重ね合わせ部の内壁又は外壁に密着するように配置されている、
ことを特徴とする請求項１に記載の金属ハウジング。
【請求項３】
前記第１のハーフハウジングの嵌合側の両端にはそれぞれ複数の前記ブームが設けられている、
ことを特徴とする請求項２に記載の金属ハウジング。
【請求項４】
前記第２の重ね合わせ部は複数の嵌合シートを含み、複数の前記嵌合シートは複数の前記ブームに１対１に対応し、隣り合う２つの前記嵌合シートの間にはリブが設けられている、
ことを特徴とする請求項２に記載の金属ハウジング。
【請求項５】
前記第２のハーフハウジングから離れる方向において、前記リブの端部は前記嵌合シートの端部と面一となっている、
ことを特徴とする請求項４に記載の金属ハウジング。
【請求項６】
前記ブームは前記嵌合シートの外壁に密着するように配置され、前記リブは前記第２のハーフハウジングに対して外に突出して設けられ、前記ブームが前記嵌合シートと重ね合わさって接続される時に、前記ブームの外壁は前記リブの外壁と面一となっている、
ことを特徴とする請求項４に記載の金属ハウジング。
【請求項７】
前記第１の重ね合わせ部と前記第２の重ね合わせ部の両者のうちに、１つには係止爪が設けられ、他の１つには係止孔が設けられ、前記第１の重ね合わせ部と前記第２の重ね合わせ部を重ね合わせる時に、前記係止爪は前記係止孔内に係止されている、
ことを特徴とする請求項１〜６のいずれか一項に記載の金属ハウジング。
【請求項８】
前記第１のハーフハウジング又は前記第２のハーフハウジングには加締爪がさらに設けられている、
ことを特徴とする請求項１に記載の金属ハウジング。
【請求項９】
電気接続部材と、前記電気接続部材を収容する絶縁本体とを含むコネクタであって、請求項１〜８のいずれか一項に記載の金属ハウジングをさらに含み、前記絶縁本体は前記金属ハウジング内に収容されている、
ことを特徴とするコネクタ。
【請求項１０】
前記絶縁本体の径方向の一側は前記第１のハーフハウジングの内壁に貼着され、他の側は前記第２のハーフハウジングの内壁に貼着されている、
ことを特徴とする請求項９に記載のコネクタ。
【考案の詳細な説明】
【技術分野】
【０００１】
本実用新案はコネクタの技術分野に関し、特に金属ハウジング及びコネクタに関する。
【背景技術】
【０００２】
ケーブルの端部に設けられたコネクタは、一般的に複数の導電端子及び電子材料等で構成されたケーブルと相手コネクタとを嵌合するための電気接続部材、電気接続部材を収容する絶縁本体、及び絶縁本体を収容する金属ハウジングを含む。金属ハウジングの作用は電気接続部材にシールド環境を提供することであり、同時に外部の押出、衝撃などの外力を耐える作用を兼ね、これにより電気接続部材の破損、故障を防止する。
【０００３】
一般的に、金属ハウジングは金属シートが折り曲げられ、プレスされるなどの工程で製造され、これにより金属シートの対向する両端をＵ形、アリ型などの加締構造によって固定接続させ、次に筒状ハウジングに形成される。従来の金属ハウジングの天壁及び底壁はいずれも平面型構造であるため、金属ハウジングの天壁及び底壁が大きな衝撃力を受けた時、上述の固着構造は衝撃により故障しやすく、同時に金属ハウジングの天壁及び底壁が衝撃により変形し、これにより絶縁本体内部の電気接続部材が破損、故障する。
【０００４】
そこで、上述の技術的な問題を解決する新たな金属ハウジング及びコネクタを提供する必要がある。
【考案の概要】
【０００５】
本実用新案の目的の１つは金属ハウジングを提供することであり、当該金属ハウジングは外力の押出、衝撃を受けた時変形しにくい。
この目的を達成するために、本実用新案には以下の手段が採用されている：
絶縁本体を収容するために用いられる金属ハウジングであって、
第１の重ね合わせ部が設けられた第１のハーフハウジングと、
第２の重ね合わせ部が設けられた第２のハーフハウジングとを含み、前記金属ハウジングが前記絶縁本体を収容する時に、前記第１の重ね合わせ部と前記第２の重ね合わせ部は重ね合わせて接続されている、金属ハウジング。
【０００６】
好ましくは、前記第１の重ね合わせ部は複数のブームを含み、前記ブームは前記第２の重ね合わせ部の内壁又は外壁に密着するように配置されている。
【０００７】
好ましくは、前記第１のハーフハウジングの嵌合側の両端にはそれぞれ複数の前記ブームが設けられている。
【０００８】
好ましくは、前記第２の重ね合わせ部は複数の嵌合シートを含み、複数の前記嵌合シートは複数の前記ブームに１対１に対応し、隣り合う２つの前記嵌合シートの間にはリブが設けられている。
【０００９】
好ましくは、前記第２のハーフハウジングから離れる方向において、前記リブの端部は前記嵌合シートの端部と面一状となる。
【００１０】
好ましくは、前記ブームは前記嵌合シートの外壁に密着するように配置され、前記リブは前記第２のハーフハウジングに対して外に突出して設けられ、前記ブームが前記嵌合シートと重ね合わせて接続された時に、前記ブームの外壁は前記リブの外壁と面一となる。
【００１１】
好ましくは、前記第１の重ね合わせ部と前記第２の重ね合わせ部の両者のうち、１つには係止爪が設けられ、他の１つには係止孔が設けられ、前記第１の重ね合わせ部と前記第２の重ね合わせ部を重ね合わせる時に、前記係止爪は前記係止孔内に係止されている。
【００１２】
好ましくは、前記第１のハーフハウジング又は前記第２のハーフハウジングには加締爪がさらに設けられている。
【００１３】
本実用新案の他の目的はコネクタを提供することであり、当該コネクタは良好な耐押圧、耐衝撃の能力を有する。
この目的を達成するために、本実用新案には以下の手段が採用されている：
電気接続部材と、前記電気接続部材を収容する絶縁本体とを含み、上述のような金属ハウジングをさらに含み、前記絶縁本体は前記金属ハウジング内に収容されている、コネクタ。
【００１４】
好ましくは、前記絶縁本体の径方向の一側は前記第１のハーフハウジングの内壁に密着し、他の側は前記第２のハーフハウジングの内壁に密着している。
【考案の効果】
【００１５】
本実用新案の有益な効果は、
本実用新案に係る金属ハウジングは第１のハーフハウジングと第２のハーフハウジングが嵌合して重ね合わさることにより形成され、つまり第１のハーフハウジングと第２のハーフハウジングが嵌合し係合して絶縁本体を収容する時、それぞれ両者に設けられた第１の重ね合わせ部と第２の重ね合わせ部が重ね合わさって接続され、これにより当該金属ハウジングの耐圧能力を向上させ、外力の押出、衝撃を受けた時の変形を減少させ、さらに回避することができ、ひいては絶縁本体内の電気接続部材を効果的に保護することができる。
【００１６】
本実用新案に係るコネクタは上述の金属ハウジングを採用することにより、当該コネクタに優れた耐圧及び耐衝撃能力を有させ、当該コネクタが使用シーンを長期にわたって、効果的にサービスすることができることを確保する。
【図面の簡単な説明】
【００１７】
【図１】本実用新案の実施例におけるコネクタの構造模式図である。
【図２】本実用新案の実施例におけるコネクタの分解図である。
【図３】本実用新案の実施例における金属ハウジングの構造模式図である。
【図４】本実用新案の実施例における金属ハウジングの別の視角からの構造模式図である。
【図５】本実用新案の実施例における金属ハウジングの分解図である。
【考案を実施するための形態】
【００１８】
以下図面及び実施例を参照しながら本実用新案をさらに詳細に説明する。理解できることは、ここで説明する具体的な実施例は、本実用新案を解釈することのみに用いられ、本実用新案を限定するものではない。なお、説明すべきことは、説明の便宜上、図面においては、本実用新案に関連する部分のみを示しており、全ての構成を示しているわけではない。
【００１９】
本実用新案の記載において、他の明確な規定と限定がない限り、術語「連結」、「接続」、「固定」は、広義に解釈されるべきものであり、例えば、固定的に接続してもよいし、着脱可能に接続してもよいし、一体であってもよく、機械的に接続されてもよいし、電気的に接続されてもよく、直接的に接続されてもよいし、中間媒体を介して間接的に接続されてもよく、２つの素子内部の連通又は２つの素子の相互作用関係であってもよい。当業者であれば、上述する用語は、具体的な状況によって本実用新案における具体的な意味を理解することができる。
【００２０】
本実用新案において、他の明確な規定と限定がない限り、第１特徴が第２特徴の「上」又は「下」であることは、第１特徴及び第２特徴が直接接触することを含んでもよいし、第１特徴及び第２特徴が直接接触せずにそれらの間の他の特徴によって接触することを含んでもよい。また、第１特徴が第２特徴の「上」、「上方」、及び「上面」であることは、第１特徴が第２特徴の直上及び斜め上にあることを含むか、又は、第１特徴の水平の高さが第２特徴よりも高いことのみを意味する。第１特徴が第２特徴の「下」、「下方」、及び「下面」は、第１特徴が第２特徴の直下及び斜め下にあることを含むか、又は、第１特徴の水平の高さが第２特徴よりも小さいことのみを意味する。
【００２１】
本実施例の説明において、用語「上」、「下」、「右」、等の方位又は位置関係は、図面に基づいて示した方位又は位置関係であり、説明や操作の簡略化のためのものだけであり、指された装置又は要素が特定の方位を有する必要があり、特定の方位で構造及び操作することを指示又は暗示するものではなく、したがって、本実用新案への規制と解釈してはならない。また、用語「第１」、「第２」は説明上区別するためだけに用いられ、特別な意味はない。
【００２２】
図１及び図２に示すように、本実施例はコネクタを提供し、それは電気接続部材１００、電気接続部材１００を収容する絶縁本体２００、及び絶縁本体２００を収容する金属ハウジング３００を含む。電気接続部品１００は大体電子材料、複数の金属ケース３００に露出して相手コネクタと突き合わせることができる導電端子及び後向きに延びるケーブル４００を含む。絶縁本体２００は電気接続部材１００を固定して保持し、電気接続部材１００と金属ハウジング３００を絶縁させるために用いられる。金属ハウジング３００は電気接続部材１００の内部に位置する部分にシールド環境を提供することができ、同時に外部の押出、衝撃などの外力に耐える作用を兼ね、これにより電気接続部材１００の金属ハウジング３００内に位置する部分の破損、故障を防止する。
【００２３】
続いて図２を参照して図３及び図４を結び付け、金属ハウジング３００の耐押出、耐衝撃能力を向上させるために、本実施例は金属ハウジング３００をさらに提供し、それは第１のハーフハウジング１と第２のハーフハウジング２を含み、ここで、第１のハーフハウジング１には第１の重ね合わせ部が設けられ、第２のハーフハウジング２には第２の重ね合わせ部が設けられ、第１のハーフハウジング１と第２のハーフハウジング２が嵌合する時に絶縁本体２００を収容できるチャンバを形成し、同時に、第１の重ね合わせ部と第２の重ね合わせ部は金属ハウジング３００の軸方向に垂直する方向に重ね合わさって接続される。第１の重ね合わせ部と第２の重ね合わせ部を接続した後に形成された重なり領域は当該金属ハウジング３００の上述の重なり領域での構造強度を増強させることができ、これにより当該金属ハウジング３００の耐押圧、衝撃能力を向上させる需要を満たす。
【００２４】
なお、本実施例は図示するコネクタがＵＳＢ  ｔｙｐｅ−ｃコネクタを例とし、第１のハーフハウジング１及び第２のハーフハウジング２はＵ字型断面を有するハーフハウジング構造を呈し、つまり両者はそれぞれ１つの中間部の円弧部位と円弧部位の両側に位置する平面部位とを有し、一般的には、円弧部位の構造強度は平面部位の構造強度よりも大きく、そこで、本実施例において、第１の重ね合わせ部及び第２の重ね合わせ部はそれぞれ第１のハーフハウジング１及び第２のハーフハウジング２の平面部位に設けられることが好ましく、これにより当該金属ハウジング３００が上述の平面部位に位置する構造強度を増強させる。
【００２５】
他の実施形態において、上述の金属ハウジング３００を他の形式のコネクタに適用してそれに図示と区別する構造を有させる場合に、実施者は対応する構造の金属ハウジング３００の強度の弱い箇所に上述の第１の重ね合わせ部及び第２の重ね合わせ部を設けることができ、これにより金属ハウジング３００及びコネクタ全体の構造強度を増強させ、耐圧、耐衝撃の能力を向上させる。
【００２６】
具体的には、図５に示すように、本実施例において、第１の重ね合わせ部は複数のブーム４を含み、ブーム４は第２の重ね合わせ部に設けられた嵌合シート５の外壁に密着するように配置され、複数のブーム４と複数の嵌合シート５を１対１に対応して重ね合わせることにより、第１の重ね合わせ部と第２の重ね合わせ部を金属ハウジング３００の軸方向に垂直な方向に重ね合わせて重なり領域を獲得する。
【００２７】
好ましくは、第１のハーフハウジング１の嵌合側の両端、即ち第１のハーフハウジング１の２つの平面部位の端部にはそれぞれ複数のブーム４が設けられ、第２のハーフハウジング２の嵌合側の両端、即ち第２のハーフハウジング２の２つの平面部位の端部にはそれぞれ複数の嵌合シート５が設けられ、これにより第１のハーフハウジング１の嵌合側の両端をいずれも第２の重ね合わせ部の外壁に密着させ、当該金属ハウジング３００の正、背面両側の平面部位でいずれも構造の強化を図る。
【００２８】
他の好ましい実施形態において、ブーム４は嵌合シート５の内壁に密着するように配置されてもよく、つまり第１のハーフハウジング１の嵌合側の両端はいずれも第２の重ね合わせ部の内壁に密着し、当該構造は同様に当該金属ハウジング３００の正、背面両側の平面部位でいずれも構造の強化を獲得することができる。
【００２９】
当該金属ハウジング３００の構造強度をさらに増強するために、本実施例において、第２のハーフハウジング２の隣り合う２つの嵌合シート５の間に位置する部位にはリブ６が設けられている。当該リブ６は第２のハーフハウジング２の２つの平面部位から外に突出してもよく、第２のハーフハウジング２の２つの平面部位から内に凹んでもよい。好ましくは、第２のハーフハウジング２から離れる方向において、リブ６の端部は嵌合シート５の端部と面一となり、つまり、当該リブ６は好適に第２のハーフハウジング２と第１のハーフハウジング１の嵌合側の端面まで延在し、これによりリブ６はより大きな寸法を有し、ひいてはより多くの耐圧支持能力を提供する。
【００３０】
理解できることは、当該金属ハウジング３００が外力の押出、衝撃を受ける時に、金属ハウジング３００は、外部のそれに付勢する物体との接触面積が大きいほど、金属ハウジング３００の受ける圧力が小さくなり、ひいては金属ハウジング３００の受圧変形を回避することができる。このため、本実施例において、ブーム４は好ましくは嵌合シート５の外壁に密着するように配置され、リブ６は第２のハーフハウジング２に対して外に突出して設けられ、かつ、ブーム４が嵌合シート５と重ね合わさって接続される時、ブーム４の外壁はリブ６の外壁と面一となり、これにより第１のハーフハウジング１でのブーム４と第２のハーフハウジング２でのリブ６が外部の圧力を一括して受けることができ、金属ハウジング３００が圧力を受ける時に受けた圧力を減少する。
【００３１】
図１に示すように、本実施例において、第１のハーフハウジング１と第２のハーフハウジング２は嵌合する時、両者のうちの１つに設けられたケーブル４００をかしめるための加締爪７によって固定接続することができる。加締爪７は一般的に金属ハウジング３００の一端のみに設けられるため、第１のハーフハウジング１と第２のハーフハウジング２がより強固な接続構造を有させるために、図３〜図５に示すように、第１のハーフハウジング１と第２のハーフハウジング２は両者の間に設けられた接続構造３によって嵌合して固定することができ、具体的には、当該嵌合構造３は第１の重ね合わせ部と第２の重ね合わせ部の両者のうちの１つに設けられた係止爪３１、及び両者のうちの他の１つに設けられた係止孔３２を含み、第１の重ね合わせ部と第２の重ね合わせ部を重ね合わせる時に、係止爪３１は係止孔３２内に係止され、これにより両者を一体に接続させ、離脱することを回避する。
【００３２】
具体的には、係止爪３１及び係止孔３２はそれぞれブーム４及び接続シート５に設けられてもよく、又は逆に、係止爪３１及び係止孔３２はそれぞれ接続シート５及びブーム４に設けられてもよい。係止孔３２は貫通孔であってもよく、ブラインドビアであってもよく、特に限定されない。
【００３３】
また、図２に示すように、本実施例において、絶縁本体２００の径方向の一側は第１のハーフハウジング１の内壁に貼着してもよく、他の側は第２のハーフハウジング２の内壁に貼着してもよく、これによって金属ハウジング３００の内部から第１のハーフハウジング１及び第２のハーフハウジング２を支持することができ、これにより金属ハウジング３００の耐圧力をさらに向上させる。
【００３４】
本実施例において、第１のハーフハウジング１及びその上に設けられたブーム４、係止爪３１及び加締爪６などはいずれも一体成型されてもよく、第２のハーフハウジング２及びその上に設けられた接続シート５、リブ６及び係止孔３２等もいずれも一体成型されてもよい。金属シートに対して打ち抜き、折り曲げるなどのプロセスを行うことにより第１のハーフハウジング１及び第２のハーフハウジング２を獲得する加工方法は従来の技術であり、ここでは説明を省略する。
【００３５】
本実用新案の上述の実施例は本実用新案を明確に説明するための例示に過ぎず、本実用新案の実施形態を限定するものではないことは明らかである。当業者にとって、本実用新案の保護範囲から逸脱することなく、様々な明らかな変化、再調整及び代替を行うことができる。ここで全ての実施形態を網羅する必要も可能性もない。本実用新案の精神及び原則内で行われたいかなる修正、同等置換及び改善などは、いずれも本実用新案の請求項の保護範囲内に含まれるべきである。
【符号の説明】
【００３６】
１００  電気接続部材
２００  絶縁本体
３００  金属ハウジング
４００  ケーブル
１  第１のハーフハウジング
２  第２のハーフハウジング
３  嵌合構造
３１  係止爪
３２  係止孔
４  ブーム
５  嵌合シート
６  リブ
７  加締爪
【図１】
0003235165.tif 000003
【図２】
0003235165.tif 000004
【図３】
0003235165.tif 000005
【図４】
0003235165.tif 000006
【図５】
0003235165.tif 000007